(57)【要約】【課題】電源ケーブルを接続したヒーター線を積層体にインサート成形してなるヒーター線入り積層体装置において、簡単で安価に実施できる構造で、設置における配置の自由度を向上できる構造を提供する。【解決手段】ヒーター線入り積層マット１において、電源ケーブル４を接続したヒーター線３をインサート成形した積層体のマット本体２の積層方向の一方の面（裏面）側で電源ケーブル４をマット本体２から引き出す引き出し部に、電源ケーブル４を通す溝２ｃが形成される。溝２ｃはＴ字形でマット本体２の長方形の長辺に沿った一方向と短辺に沿った一方向との２方向に分岐している。この溝２ｃの分岐部分のそれぞれに択一的に電源ケーブル４を通すことにより、電源ケーブル４のマット本体２からの引き出し方向を直交する２方向に設定することができる。【選択図】　　　　図１
0003098902.tif 000002
【実用新案登録請求の範囲】
【請求項１】
電源ケーブルを接続したヒーター線を積層体にインサート成形してなるヒーター線入り積層体装置において、
前記積層体の積層方向の一方の面側で前記電源ケーブルを積層体から引き出す引き出し部に、電源ケーブルを通す溝として複数方向に分岐する溝が形成され、この溝の分岐部分のそれぞれに択一的に電源ケーブルを通すことにより、電源ケーブルの積層体からの引き出し方向を複数方向に設定できるようにしたことを特徴とするヒーター線入り積層体装置。
【請求項２】
前記積層体は略長方形に形成され、前記溝は略Ｔ字形に形成されて前記長方形の長辺に沿った一方向と短辺に沿った一方向との２方向に分岐していることを特徴とする請求項１に記載のヒーター線入り積層体装置。
【考案の詳細な説明】
【０００１】
【考案の属する技術分野】
本考案は、電源ケーブルを接続したヒーター線を積層体にインサート成形してなるヒーター線入り積層体装置に関するものである。
【０００２】
【従来の技術】
上記のヒーター線入り積層体装置として、ヒーター線をインサート成形した積層体が柔軟なマットとして構成されたヒーター線入り積層マットが知られている。図５（ａ），（ｂ）に示すように、従来のヒーター線入り積層マット１では、積層体であるマット本体２が例えば長方形に形成され、そのマット本体２にインサートされた不図示のヒーター線に接続された電源ケーブル４がマット本体２から引き出されているが、電源ケーブル４の引き出し方向は一方向（ここではマット本体２の長方形の長辺に沿った一方向）のみに固定されていた。なお符号４ａは電源ケーブル４の先端に連結されたプラグである。
【０００３】
【考案が解決しようとする課題】
しかしながら、上記のように電源ケーブル４の引き出し方向が一方向のみに固定されていると、積層マット１の設置における配置の自由度が制限されてしまうという欠点があった。
【０００４】
例えば、３枚の積層マット１を隙間なく並べて設置しようとする場合、図６に示すように、マット本体２の長辺の方向に沿って並べようとすると、２枚の積層マット１の電源ケーブル４が隣りの積層マット１のマット本体２に当たってしまい、隙間なく並べることができない。また、図７（ａ）に示すように、マット本体２の短辺に沿って並べれば、隙間なく並べることができるが、その場合でも、図７（ｂ）のように各積層マット１の電源ケーブル４の引き出し方向側に障害物１２があると、電源ケーブル４が当たってしまうので、設置できない。
【０００５】
本考案は、このような事情に鑑みてなされたもので、この種のヒーター線入り積層体装置において、簡単で安価に実施できる構造で、設置における配置の自由度を向上することができる構造を提供することにある。
【０００６】
【課題を解決するための手段】
上記の課題を解決するため、本考案によれば、
電源ケーブルを接続したヒーター線を積層体にインサート成形してなるヒーター線入り積層体装置において、
前記積層体の積層方向の一方の面側で前記電源ケーブルを積層体から引き出す引き出し部に、電源ケーブルを通す溝として複数方向に分岐する溝が形成され、この溝の分岐部分のそれぞれに択一的に電源ケーブルを通すことにより、電源ケーブルの積層体からの引き出し方向を複数方向に設定できるようにした構造を採用した。
【０００７】
【考案の実施の形態】
以下、図を参照して本考案の実施の形態を説明する。ここでは、先述したヒーター線入り積層マットにおける実施形態を説明する。
【０００８】
図１は、実施形態のヒーター線入り積層マット１の構造を示す裏面側から見た斜視図である。積層マット１のマット本体２は、それぞれゴムチップ材又はプラスチックからなる表側の積層材２ａと裏側の積層材２ｂを一体に積層した積層体であり、長方形に形成されている。
【０００９】
マット本体２には、加熱用のヒーター線３がインサート成形されている。ループをなすヒーター線３の両端に電源ケーブル４が接続されており、ここではマット本体２の裏面側で図中手前側の角部近傍から引き出されている。電源ケーブル４の先端にはプラグ４ａが連結されている。
【００１０】
マット本体２の電源ケーブル４を引き出す引き出し部（上記裏面側の角部近傍部分）には、電源ケーブル４を通す溝２ｃが形成されている。この溝２ｃは略Ｔ字形に形成されており、マット本体２の長方形の長辺に沿った一方向と短辺に沿った一方向との２方向、すなわち直交する２方向に分岐している。電源ケーブル４の溝２ｃに通される部分には、電源ケーブル４を保護するための保護バネ５が巻装されている。保護バネ５は、脱落しないように、基端部（図中左端部）がマット本体２に埋め込まれている。
【００１１】
以上のような積層マット１は、金型として図２に示す下型８と上型９を用いて積層成形により形成される。下型８には、寸法、形状が積層マット１に対応する長方形の枠８ａが形成され、その１箇所に電源ケーブル４を引き出すための溝８ｂが形成されている。上型９は寸法、形状が積層マット１に対応する長方形の平板状に形成されている。
【００１２】
成形時には、まず図１中の表側の積層材２ａとなるゴムチップ材又はプラスチックの積層材料（成形材料）を下型８の枠８ａ内に入れ、所定の厚さで均一にならす。
【００１３】
次に、保護バネ５を巻装した電源ケーブル４を接続したヒーター線３を枠８ａ内の表側の積層材料上の所定位置にセットする。ただし、その前に、電源ケーブル４の溝２ｃに通される部分（保護バネ５の基端部以外の大部分が巻装される部分）の下側にバリア金具７を取り付け、上側に治具６を被せておき、その部分を溝２ｃに対応する位置にセットする。これは、溝２ｃを形成するとともに、電源ケーブル４の溝２ｃに通される部分に積層材料が付着しないようにするためである。治具６とバリア金具７は溝２ｃに対応した略Ｔ字形に形成され、互いに着脱可能に嵌合するものとする。なお、電源ケーブル４の保護バネ５より先の部分は溝８ｂを通して枠８ａの外に出す。
【００１４】
次に、裏側の積層材２ｂとなる積層材料を下型８の枠８ａ内に入れ、所定の厚さで均一にならす。
【００１５】
次に、上型９を枠８ａ内の積層材料上に被せ、全体を加熱圧縮加工機に入れ、加熱圧縮して積層成形する。そして成形が完了したら、上型９を外し、さらに治具６を外して枠８ａ内から成形品すなわち積層マット１を取り出す。なお、図１に詳しく図示していないが、バリア金具７がマット本体２の溝２Ｃの底側にインサートされて残る。
【００１６】
以上のようにして図１の積層マット１を作製することができる。この積層マット１によれば、図１のように、電源ケーブル４の引き出し部分で保護バネ５を巻装した部分を溝２ｃでマット本体２の長方形の長辺に沿った方向の分岐部分に通すことにより、電源ケーブル４を前記の長辺に沿った図中で右方向に引き出すことができる。また、電源ケーブル４の保護バネ５を巻装した部分を直角に曲げて溝２ｃでマット本体２の短辺に沿った方向の分岐部分に通すことにより、電源ケーブル４を前記の短辺に沿った図中で手前方向に引き出すことができる。さらに電源ケーブル４を溝２ｃからマット本体２の裏面に垂直な図中で上方向に曲げて出すことにより、図中で上方向にも引き出すことができる。
【００１７】
そして、図３に示すように複数枚の積層マット１をマット本体２の長辺に沿った方向に隙間なく並べて設置したい場合、電源ケーブル４をマット本体２の短辺に沿った方向に引き出せば、隣りのマット本体２に当たらず、隙間なく並べることができる。
【００１８】
また、図７（ａ）に示すように複数枚の積層マット１をマット本体２の短辺に沿った方向に隙間なく並べて設置したい場合、電源ケーブル４をマット本体２の長辺に沿った方向に引き出せば、隣りのマット本体２に当たらず、隙間なく並べることができる。
【００１９】
また、図４（ａ）に示すように複数枚の積層マット１をマット本体２の長辺に沿った方向に隙間なく並べたい場合で電源ケーブル４の引き出し部側に障害物１０がある場合は、図４（ｂ）に示すように電源ケーブル４をマット本体２の裏面に垂直な下方向で床１１側に引き出すことにより、障害物１０を避けて支障なく配置できる。
【００２０】
このように、本実施形態の積層マット１によれば、従来例に比べて設置における配置の自由度を著しく向上することができる。
【００２１】
なお、本実施形態では、マット本体２の溝２ｃは、略Ｔ字形で、マット本体２の長方形の長辺に沿った一方向と短辺に沿った一方向との２方向に分岐しているものとしたが、例えば略十字形として３方向に分岐するものとしてもよく、それ以上の数の方向に分岐するものとしてもよい。
【００２２】
また、以上では積層マットにおける実施形態を説明したが、積層体がマット以外のパネル状ないしブロック状などに構成されるヒーター線入り積層体装置にも本考案を適用できることは勿論であり、積層体の形状が長方形に限らないことも勿論である。
【００２３】
【考案の効果】
以上の説明から明らかなように、本考案によれば、電源ケーブルを接続したヒーター線を積層体にインサート成形してなるヒーター線入り積層体装置において、前記積層体の積層方向の一方の面側で前記電源ケーブルを積層体から引き出す引き出し部に、電源ケーブルを通す溝として複数方向に分岐する溝が形成され、この溝の分岐部分のそれぞれに択一的に電源ケーブルを通すことにより、電源ケーブルの積層体からの引き出し方向を複数方向に設定できるようにしたので、簡単で安価に実施できる構造により、設置における配置の自由度を著しく向上することができるという優れた効果が得られる。
【図面の簡単な説明】
【図１】本考案の実施形態によるヒーター線入り積層マットの構造を示す裏面側から見た斜視図である。
【図２】同積層マットの成形方法を説明する斜視図である。
【図３】同積層マットの設置例を示す平面図である。
【図４】同積層マットの他の設置例を示す平面図（ａ）及び側面図（ｂ）である。
【図５】従来のヒーター線入り積層マットの平面図（ａ）及び側面図（ｂ）である。
【図６】同積層マットの配置における問題点を示す平面図である。
【図７】同積層マットの他の配置における問題点を示すもので、障害物がない場合の平面図（ａ）と障害物がある場合の平面図（ｂ）である。
【符号の説明】
１　ヒーター線入り積層マット
２　マット本体
２ａ，２ｂ　積層材
２ｃ　溝
３　ヒーター線
４　電源ケーブル
５　保護バネ
６　治具
７　バリア金具
８　下型
９　上型
【図１】
0003098902.tif 000003
【図２】
0003098902.tif 000004
【図３】
0003098902.tif 000005
【図４】
0003098902.tif 000006
【図５】
0003098902.tif 000007
【図６】
0003098902.tif 000008
【図７】
0003098902.tif 000009